(57)【要約】【課題】安価な燃料を使用しつつ、排気ガス対策のために燃焼を改善する内燃機関の制御装置を提供する。【解決手段】複数の気筒１０に主燃料を供給する主燃料供給ライン２２と、複数の気筒１０の少なくとも１つに副燃料を供給する副燃料供給ライン２４と、主燃料と副燃料の切り替えを設定する燃料切替設定手段１０２ａと、主燃料と副燃料とを切り替える三方弁２６を備え、燃料切替設定手段１０２ａは、複数の気筒１０からの排気ガスの性状、複数の気筒１０の気筒内圧力又は内燃機関の負荷条件のうち少なくとも１つに応じて複数の気筒１０の燃焼状態を推定し、推定された燃焼状態に基づき、複数の気筒１０に供給される主燃料と副燃料の切り替えを設定し、複数の気筒１０のうち燃料切替設定手段１０２ａにおいて設定された気筒１０への主燃料と副燃料の供給を三方弁２６を切り替えることによって制御する構成とする。【選択図】図１
2019094906.tif 000002
【特許請求の範囲】
【請求項１】
複数の気筒を有する内燃機関の制御装置であって、
前記複数の気筒に主燃料を供給する主燃料系と、前記複数の気筒の少なくとも１つに副燃料を供給する副燃料系と、
前記主燃料と前記副燃料の切り替えを設定する燃料切替設定手段と、
前記主燃料と前記副燃料とを切り替える燃料切替手段を備え、
前記燃料切替設定手段は、前記複数の気筒からの排気ガスの性状、前記複数の気筒の気筒内圧力又は前記内燃機関の負荷条件のうち少なくとも１つに応じて前記複数の気筒の燃焼状態を推定し、推定された前記燃焼状態に基づき、前記複数の気筒に供給される前記主燃料と前記副燃料の切り替えを設定し、
前記複数の気筒のうち前記燃料切替設定手段において設定された気筒への前記主燃料と前記副燃料の供給を前記燃料切替手段を切り替えることにより制御することを特徴とする内燃機関の制御装置。
【請求項２】
請求項１に記載の内燃機関の制御装置であって、
前記気筒に供給する前記主燃料と前記副燃料の噴射条件を変更する燃料噴射条件変更手段を備え、
前記燃料切替設定手段において設定された気筒への前記主燃料と前記副燃料の供給を切り替えるとともに、前記燃料噴射条件変更手段は、前記主燃料が供給される気筒への噴射条件と前記副燃料が供給される気筒への噴射条件とを異ならせることを特徴とする内燃機関の制御装置。
【請求項３】
請求項２に記載の内燃機関の制御装置であって、
前記燃料噴射条件変更手段は、前記噴射条件として燃料の供給量及び／又は燃料の噴射タイミングを変更することを特徴とする内燃機関の制御装置。
【請求項４】
請求項２又は３に記載の内燃機関の制御装置であって、
前記燃料噴射条件変更手段は、前記副燃料の性状に応じて前記副燃料が供給される気筒への噴射条件を自動的に変更することを特徴とする内燃機関の制御装置。
【請求項５】
請求項１から４のいずれか１項に記載の内燃機関の制御装置であって、
前記気筒の排気ガスを排出する排気通路と、
前記気筒の少なくとも一つの排気ガスを吸気に戻すＥＧＲ通路と、
前記排気通路と前記ＥＧＲ通路との切り替えを設定するＥＧＲ切替設定手段と、
前記排気通路と前記ＥＧＲ通路とを切り替えるＥＧＲ切替手段を備え、
前記ＥＧＲ切替手段は、前記燃料切替設定手段の設定により前記副燃料に切り替えられている気筒の少なくとも１つに対して、前記ＥＧＲ切替設定手段の設定にしたがって前記排気通路から前記ＥＧＲ通路に切り替えることを特徴とする内燃機関の制御装置。
【請求項６】
請求項５に記載の内燃機関の制御装置であって、
前記ＥＧＲ通路に通路面積を変更できるＥＧＲバルブを備え、
ＥＧＲ率に応じて前記ＥＧＲバルブを用いて前記ＥＧＲ通路を通過する前記排気ガスの流量を調整することを特徴とする内燃機関の制御装置。
【請求項７】
請求項５又は６に記載の内燃機関の制御装置であって、
ＥＧＲ率に応じて前記副燃料に切り替える気筒の数を変えて前記ＥＧＲ通路を通過する前記排気ガスの流量を調整することを特徴とする内燃機関の制御装置。
【請求項８】
請求項５から７のいずれか１項に記載の内燃機関の制御装置であって、
前記ＥＧＲ切替設定手段は、前記排気通路と前記ＥＧＲ通路の切り替え設定を行う際に、前記複数の気筒のうち燃焼時期が均等にずれている気筒を前記排気通路と前記ＥＧＲ通路の切り替え対象の気筒として設定することを特徴とする内燃機関の制御装置。
【請求項９】
請求項５から８のいずれか１項に記載の内燃機関の制御装置であって、
前記ＥＧＲ切替設定手段において前記排気通路から前記ＥＧＲ通路への切り替えが設定されたときに、前記燃料切替手段が前記主燃料系から前記副燃料系に切り替えた後、前記ＥＧＲ切替手段が前記排気通路から前記ＥＧＲ通路への切り替えを行うことを特徴とする内燃機関の制御装置。
【請求項１０】
請求項５から９のいずれか１項に記載の内燃機関の制御装置であって、
前記ＥＧＲ切替設定手段で前記ＥＧＲ通路から前記排気通路への切り替えが設定されたときに、前記ＥＧＲ切替手段が前記ＥＧＲ通路から前記排気通路へ切り替えた後、前記燃料切替手段が前記副燃料系から前記主燃料系への切り替えを行うことを特徴とする内燃機関の制御装置。
【請求項１１】
請求項５から１０のいずれか１項に記載の内燃機関の制御装置であって、
前記副燃料が供給される気筒からの前記ＥＧＲ通路に前記排気ガス中の窒素酸化物を低減する脱硝装置を備えたことを特徴とする内燃機関の制御装置。
【請求項１２】
請求項５から１１のいずれか１項に記載の内燃機関の制御装置であって、
前記副燃料が供給される気筒からの前記ＥＧＲ通路に過給機を備えたことを特徴とする内燃機関の制御装置。
【請求項１３】
請求項１２に記載の内燃機関の制御装置であって、
前記過給機は発電機付き過給機であることを特徴とする内燃機関の制御装置。
【請求項１４】
請求項１から１３のいずれか１項に記載の内燃機関の制御装置であって、
前記内燃機関は移動体に搭載され、
前記燃料切替設定手段は、前記移動体の現在位置の地理的条件に応じて前記主燃料を供給する気筒と前記副燃料を供給する気筒を設定することを特徴とする内燃機関の制御装置。
【請求項１５】
請求項１から１４のいずれか１項に記載の内燃機関の制御装置であって、
前記副燃料は前記主燃料に比べて硫黄含有量が少ない燃料であることを特徴とする内燃機関の制御装置。
【請求項１６】
請求項１から１５のいずれか１項に記載の内燃機関の制御装置を搭載したことを特徴とする陸舶産業用内燃機関。
【発明の詳細な説明】
【技術分野】
【０００１】
本発明は、内燃機関の制御装置及びそれを用いた陸舶産業用内燃機関に関する。
【背景技術】
【０００２】
ディーゼル機関等の内燃機関からの排気ガスに含まれる窒素酸化物（ＮＯｘ）の低減技術としては選択触媒還元脱硝装置（ＳＣＲ）等の後処理が知られているが、２ストロークエンジンでは排気ガスの温度が低いので適用が困難であるという問題がある。一方、排気ガスを吸気側に環流させることによって窒素酸化物（ＮＯｘ）を低減する排気再循環システム（ＥＧＲ）も知られている。
【０００３】
ディーゼル機関と直結されたガス機関を設け、炭化水素や煤塵のほとんどないガス機関の排気ガスをディーゼル機関に環流させる構成が開示されている（特許文献１）。また、主機用ディーゼルエンジンの吸気系統に排気処理が比較的容易な補機用オットーサイクルエンジンの排気を導き、総合的に窒素酸化物（ＮＯｘ）の低減を図った構成が開示されている（特許文献２）。また、複数の気筒のうち幾つかに排気通路と吸気通路とを繋ぐＥＧＲ通路を設けて排気ガスを環流させる内燃機関の制御装置が開示されている（特許文献３）。
【先行技術文献】
【特許文献】
【０００４】
【特許文献１】特開平５−７１４２５号公報
【特許文献２】特開平７−４２６２３号公報
【特許文献３】特許第４８６２６２３号公報
【発明の概要】
【発明が解決しようとする課題】
【０００５】
ところで、ＥＧＲを適用するためには、エンジンの腐食を避けるために硫黄成分が少ない高価で良質な燃料を使用する必要がある。一方、船舶等に用いられる大型の内燃機関では特に燃料費が占める割合が高いため、できるだけ安い燃料を使用することが望まれている。船舶では、プロペラを駆動するための内燃機関である主機関と、船内で使用する電気を作るための内燃機関である補機関があり、補機関ではススの発生が少ない良い燃料を使用して、主機関では安い燃料を使用して、補機関から出るススの少ない排気ガスを主機関のＥＧＲ用のガスと使用することが考えられる。しかし、補機関の排気ガス量は主機関の排気ガス量の１０％未満であるため、ＥＧＲ率を大きくすることができない。そこで、主機関の一部の気筒に良い燃料を使用することにより、主機関のＥＧＲ率を１０％以上にすることが可能となる。また、燃焼の悪い気筒だけに良い燃料を使用して燃焼を改善することも可能となる。
【０００６】
本発明は、できるだけ安価な燃料を使用しつつ、排気ガス対策のために燃焼を改善した内燃機関の制御装置及び陸舶産業用内燃機関を提供する。
【課題を解決するための手段】
【０００７】
本発明の請求項１に係る内燃機関の制御装置は、複数の気筒を有する内燃機関の制御装置であって、前記複数の気筒に主燃料を供給する主燃料系と、前記複数の気筒の少なくとも１つに副燃料を供給する副燃料系と、前記主燃料と前記副燃料の切り替えを設定する燃料切替設定手段と、前記主燃料と前記副燃料とを切り替える燃料切替手段を備え、前記燃料切替設定手段は、前記複数の気筒からの排気ガスの性状、前記複数の気筒の気筒内圧力又は前記内燃機関の負荷条件のうち少なくとも１つに応じて前記複数の気筒の燃焼状態を推定し、推定された前記燃焼状態に基づき、前記複数の気筒に供給される前記主燃料と前記副燃料の切り替えを設定し、前記複数の気筒のうち前記燃料切替設定手段において設定された気筒への前記主燃料と前記副燃料の供給を前記燃料切替手段を切り替えることにより制御することを特徴とする内燃機関の制御装置である。
【０００８】
また、前記気筒に供給する前記主燃料と前記副燃料の噴射条件を変更する燃料噴射条件変更手段を備え、前記燃料切替設定手段において設定された気筒への前記主燃料と前記副燃料の供給を切り替えるとともに、前記燃料噴射条件変更手段は、前記主燃料が供給される気筒への噴射条件と前記副燃料が供給される気筒への噴射条件とを異ならせることが好適である。
【０００９】
例えば、前記燃料噴射条件変更手段は、前記噴射条件として燃料の供給量及び／又は燃料の噴射タイミングを変更することが好適である。
【００１０】
このとき、前記燃料噴射条件変更手段は、前記副燃料の性状に応じて前記副燃料が供給される気筒への噴射条件を自動的に変更することが好適である。
【００１１】
また、前記気筒の排気ガスを排出する排気通路と、前記気筒の少なくとも一つの排気ガスを吸気に戻すＥＧＲ通路と、前記排気通路と前記ＥＧＲ通路との切り替えを設定するＥＧＲ切替設定手段と、前記排気通路と前記ＥＧＲ通路とを切り替えるＥＧＲ切替手段を備え、前記ＥＧＲ切替手段は、前記燃料切替設定手段の設定により前記副燃料に切り替えられている気筒の少なくとも１つに対して、前記ＥＧＲ切替設定手段の設定にしたがって前記排気通路から前記ＥＧＲ通路に切り替えることが好適である。
【００１２】
ここで、前記ＥＧＲ通路に通路面積を変更できるＥＧＲバルブを備え、ＥＧＲ率に応じて前記ＥＧＲバルブを用いて前記ＥＧＲ通路を通過する前記排気ガスの流量を調整することが好適である。
【００１３】
また、ＥＧＲ率に応じて前記副燃料に切り替える気筒の数を変えて前記ＥＧＲ通路を通過する前記排気ガスの流量を調整することが好適である。
【００１４】
また、前記ＥＧＲ切替設定手段は、前記排気通路と前記ＥＧＲ通路の切り替え設定を行う際に、前記複数の気筒のうち燃焼時期が均等にずれている気筒を前記副燃料を供給する気筒として設定することが好適である。
【００１５】
また、前記ＥＧＲ切替設定手段において前記排気通路から前記ＥＧＲ通路への切り替えが設定されたときに、前記燃料切替手段が前記主燃料系から前記副燃料系に切り替えた後、前記ＥＧＲ切替手段が前記排気通路から前記ＥＧＲ通路への切り替えを行うことが好適である。また、逆に、前記ＥＧＲ切替設定手段で前記ＥＧＲ通路から前記排気通路への切り替えが設定されたときに、前記ＥＧＲ切替手段が前記ＥＧＲ通路から前記排気通路へ切り替えた後、前記燃料切替手段が前記副燃料系から前記主燃料系への切り替えを行うことが好適である。
【００１６】
さらに、前記副燃料が供給される気筒からのＥＧＲ通路に前記排気ガス中の窒素酸化物を低減する脱硝装置を備えたことが好適である。
【００１７】
また、前記副燃料が供給される気筒からのＥＧＲ通路に過給機を備えたことが好適である。このとき、前記過給機は発電機付き過給機であることが好適である。
【００１８】
また、前記燃料切替設定手段は、前記移動体の現在位置の地理的条件に応じて前記主燃料を供給する気筒と前記副燃料を供給する気筒を設定することが好適である。
【００１９】
また、前記副燃料は前記主燃料に比べて硫黄含有量が少ない燃料であることが好適である。例えば、前記主燃料はＣ重油等とし、前記副燃料は、前記主燃料よりも硫黄成分が少ないＡ重油、軽油等の燃料とすることが好適である。また、デュアルフューエルエンジンの場合、前記主燃料を重油とし、前記副燃料をガスとしてもよい。
【００２０】
また、上記内燃機関の制御装置は陸舶産業用内燃機関に用いることが好適である。
【発明の効果】
【００２１】
本発明の請求項１に係る内燃機関の制御装置によれば、複数の気筒を有する内燃機関の制御装置であって、前記複数の気筒に主燃料を供給する主燃料系と、前記複数の気筒の少なくとも１つに副燃料を供給する副燃料系と、前記主燃料と前記副燃料の切り替えを設定する燃料切替設定手段と、前記主燃料と前記副燃料とを切り替える燃料切替手段を備え、前記燃料切替設定手段は、前記複数の気筒からの排気ガスの性状、前記複数の気筒の気筒内圧力又は前記内燃機関の負荷条件のうち少なくとも１つに応じて前記複数の気筒の燃焼状態を推定し、推定された前記燃焼状態に基づき、前記複数の気筒に供給される前記主燃料と前記副燃料の切り替えを設定し、前記複数の気筒のうち前記燃料切替設定手段において設定された気筒への前記主燃料と前記副燃料の供給を前記燃料切替手段を切り替えることにより制御することによって、必要に応じて副燃料を使用することにより各気筒における燃料の燃焼を改善して排気ガス対策をすると共に、高価な副燃料を不必要に使用することなく、安価な主燃料との併用によって燃料費を低減することができる。
【００２２】
また、前記気筒に供給する前記主燃料と前記副燃料の噴射条件を変更する燃料噴射条件変更手段を備え、前記燃料切替設定手段において設定された気筒への前記主燃料と前記副燃料の供給を切り替えるとともに、前記燃料噴射条件変更手段は、前記主燃料が供給される気筒への噴射条件と前記副燃料が供給される気筒への噴射条件とを異ならせることによって、主燃料と副燃料の燃料特性（燃料密度や発熱量）の違いによる各気筒での燃焼性や出力特性のばらつきを低減することができる。
【００２３】
例えば、前記燃料噴射条件変更手段は、前記噴射条件として燃料の供給量及び／又は燃料の噴射タイミングを変更することによって、燃料の燃焼に特に影響を及ぼすパラメータを制御して主燃料と副燃料の燃料特性の違いによる各気筒での燃焼性や出力特性のばらつきを低減することができる。
【００２４】
特に、前記燃料噴射条件変更手段は、前記副燃料の性状に応じて前記副燃料が供給される気筒への噴射条件を自動的に変更することによって、燃料の燃料特性の違いによる燃焼性や出力特性の変動を自動的に解消することができる。
【００２５】
また、前記気筒の排気ガスを排出する排気通路と、前記気筒の少なくとも一つの排気ガスを吸気に戻すＥＧＲ通路と、前記排気通路と前記ＥＧＲ通路との切り替えを設定するＥＧＲ切替設定手段と、前記排気通路と前記ＥＧＲ通路とを切り替えるＥＧＲ切替手段を備え、前記ＥＧＲ切替手段は、前記燃料切替設定手段の設定により前記副燃料に切り替えられている気筒の少なくとも１つに対して、前記ＥＧＲ切替設定手段の設定にしたがって前記排気通路から前記ＥＧＲ通路に切り替えることによって、硫黄成分の少ない良い燃料である副燃料を用いている気筒からの排気ガスのみをＥＧＲに利用することによって、硫黄成分による内燃機関の腐食を抑制しつつ、各気筒における窒素酸化物（ＮＯｘ）の発生を低減し排気ガス対策をすることができる。
【００２６】
ここで、前記ＥＧＲ通路に通路面積を変更できるＥＧＲバルブを備え、ＥＧＲ率に応じて前記ＥＧＲバルブを用いて前記ＥＧＲ通路を通過する前記排気ガスの流量を調整することによって、硫黄成分の少ない良い燃料である副燃料を用いている気筒からの排気ガスのうちＥＧＲに利用する排気ガスの量を調整して、硫黄成分による内燃機関の腐食を抑制しつつ、各気筒における窒素酸化物（ＮＯｘ）の発生を適切に低減することができる。
【００２７】
また、ＥＧＲ率に応じて前記副燃料に切り替える気筒の数を変えて前記ＥＧＲ通路を通過する前記排気ガスの流量を調整することによって、硫黄成分の少ない良い燃料である副燃料を用いている気筒からの排気ガスのうちＥＧＲに利用する排気ガスの量を調整して、硫黄成分による内燃機関の腐食を抑制しつつ、不必要に高価な副燃料を使用する気筒数を増加させることなく、各気筒における窒素酸化物（ＮＯｘ）の発生を適切に低減することができる。
【００２８】
また、前記ＥＧＲ切替設定手段は、前記排気通路と前記ＥＧＲ通路の切り替え設定を行う際に、前記複数の気筒のうち燃焼時期が均等にずれている気筒を前記副燃料を供給する気筒として設定することによって、前記主燃料を使用している気筒と前記副燃料を使用している気筒との燃焼の違いによる回転の時間的な変動を低減し、内燃機関を滑らかに駆動させることができる。また、ＥＧＲに利用される副燃料を用いている気筒からの排気ガスが均等にそれぞれの気筒の吸気に供給され、給気中の排気ガスの割合のムラがなくなり、内燃機関を滑らかに駆動させることができる。
【００２９】
また、前記ＥＧＲ切替設定手段において前記排気通路から前記ＥＧＲ通路への切り替えが設定されたときに、前記燃料切替手段が前記主燃料系から前記副燃料系に切り替えた後、前記ＥＧＲ切替手段が前記排気通路から前記ＥＧＲ通路への切り替えを行うことによって、硫黄成分の少ない良質の前記副燃料に切り替えられた気筒からの排気ガスのみを前記ＥＧＲ通路へ導入することができ、切り替え時における前記ＥＧＲ通路や気筒の燃焼室が硫黄成分やススの多い排気ガスによって汚染されることを防ぐことができる。
【００３０】
また、逆に、前記ＥＧＲ切替設定手段で前記ＥＧＲ通路から前記排気通路への切り替えが設定されたときに、前記ＥＧＲ切替手段が前記ＥＧＲ通路から前記排気通路へ切り替えた後、前記燃料切替手段が前記副燃料系から前記主燃料系への切り替えを行うことによって、ＥＧＲから通常の排気に切り替えられた気筒のみ硫黄成分の少ない良質の前記副燃料から前記主燃料に切り替えられるので、切り替え時における前記ＥＧＲ通路や気筒の燃焼室が硫黄成分やススの多い排気ガスによって汚染されることを防ぐことができる。
【００３１】
さらに、前記副燃料が供給される気筒からのＥＧＲ通路に前記排気ガス中の窒素酸化物を低減する脱硝装置を備えたことによって、前記脱硝装置の劣化を抑制すると共に、排気ガス中の窒素酸化物（ＮＯｘ）をより低減することができる。
【００３２】
また、前記副燃料が供給される気筒からのＥＧＲ通路に過給機を備えたことによって、前記副燃料を使用した気筒からの排気ガスのエネルギーも有効に利用することができる。また、前記過給機は発電機付き過給機であることによって、前記副燃料を使用した気筒からの排気ガスのエネルギーをより有効に利用すると共に、前記発電機の負荷を調整することによりＥＧＲ率を調整することができる。
【００３３】
また、前記燃料切替設定手段は、前記移動体の現在位置の地理的条件に応じて前記主燃料を供給する気筒と前記副燃料を供給する気筒を設定することによって、地理的条件により異なる排気ガス規制に応じて排気ガスの性状を改善させつつ、最適な運転条件にて内燃機関を駆動させることができる。
【００３４】
また、前記副燃料は前記主燃料に比べて硫黄含有量が少ない燃料であることによって、排気ガスの性状を改善させつつ、ＥＧＲ等の利用率を高め排気ガス対策をすることができる。
【００３５】
また、陸舶産業用内燃機関に上記内燃機関の制御装置を用いた場合は、各気筒における燃料の燃焼を改善して排気ガス対策をすると共に、高価な副燃料を不必要に使用することなく、安価な主燃料との併用によって燃料費を低減することができる陸舶産業用内燃機関が提供できる。
【図面の簡単な説明】
【００３６】
【図１】第１の実施の形態における内燃機関の構成を示す図である。
【図２】第１の実施の形態における内燃機関の変形例の構成を示す図である。
【図３】第２の実施の形態における内燃機関の構成を示す図である。
【図４】第２の実施の形態における内燃機関の変形例の構成を示す図である。
【図５】第２の実施の形態における内燃機関の変形例の構成を示す図である。
【図６】第３の実施の形態における内燃機関の構成を示す図である。
【図７】第３の実施の形態における内燃機関の変形例の構成を示す図である。
【発明を実施するための形態】
【００３７】
＜第１の実施の形態＞
本発明の実施の形態における内燃機関１００は、図１に示すように、複数の気筒１０を備える。内燃機関１００は、６つの気筒１０ａ〜１０ｆを備えるものとして説明するが、気筒１０の数はこれに限定されるものではない。各気筒１０は、それぞれに供給された燃料を燃焼させることによって動力を発生させる。本実施の形態では、内燃機関１００は、各気筒１０に燃料を直接噴射する、いわゆる筒内直噴式のディーゼル式の内燃機関を例に説明する。
【００３８】
第１の実施の形態では、各気筒１０（１０ａ〜１０ｆ）は同一の構成を有するので、以下、気筒１０ａを代表させて説明を行う。
【００３９】
気筒１０ａは、シリンダブロック、シリンダヘッド、ピストン及びクランク軸（図示しない）が設けられる。シリンダブロックには、シリンダボアが形成されており、このシリンダボアをピストンが往復運動可能に配置される。また、シリンダブロックには、ピストンに対向してシリンダボアを囲うようにシリンダヘッドが結合される。これらシリンダボア、シリンダヘッド及びピストンのヘッドにより囲まれた空間が燃焼室となる。
【００４０】
気筒１０ａには、吸気（給気）ポート１２及び排気ポート１４が設けられる。吸気ポート１２には、吸気弁１６が設けられる。排気ポート１４には、排気弁１８が設けられる。気筒１０ａには、ピストンの動きに応じたクランク軸の回転角位置を検出するクランク角センサ（図示しない）が設けられており、検出した回転角位置に係る信号が制御装置１０２に入力される。制御装置１０２はピストンの動き（クランク角）に応じて吸気弁１６を開閉させ、気筒１０ａへの吸気（給気）のタイミングが制御される。また、制御装置１０２はピストンの動き（クランク角）に応じて排気弁１８を開閉させ、気筒１０ａからの排気が制御される。
【００４１】
気筒１０ａには、燃料を供給するための燃料噴射装置２０が設けられる。燃料噴射装置２０には、主燃料を供給するための主燃料供給ライン２２及び副燃料を供給するための副燃料供給ライン２４が接続される。主燃料供給ライン２２及び副燃料供給ライン２４は、燃料切替手段である三方弁２６を介して燃料噴射装置２０に接続される。主燃料供給ライン２２には、主燃料タンク２２ａ及び主燃料ポンプ２２ｂが設けられ、主燃料タンク２２ａに蓄えられた主燃料が主燃料ポンプ２２ｂによって加圧されて主燃料供給ライン２２へ供給される。また、副燃料供給ライン２４には、副燃料タンク２４ａ及び副燃料ポンプ２４ｂが設けられ、副燃料タンク２４ａに蓄えられた副燃料が副燃料ポンプ２４ｂによって加圧されて副燃料供給ライン２４へ供給される。燃料噴射装置２０は、供給された主燃料又は副燃料を気筒１０ａに直接噴射する。燃料噴射装置２０は、内燃機関１００の１サイクル中に複数回の燃料噴射が可能なものとしてもよい。
【００４２】
ここで、副燃料は、主燃料よりも質の良い燃料とする。例えば、主燃料はＣ重油等とし、副燃料は、主燃料よりも硫黄成分が少ないＡ重油、軽油等の燃料とすることが好適である。また、デュアルフューエルエンジンの場合、主燃料を重油とし、副燃料をガスとしてもよい。
【００４３】
気筒１０ａ内には、ピストンの上下動に応じて吸気ポート１２から空気が吸入される。さらに、燃料噴射装置２０により燃料（主燃料又は副燃料）が供給されて、気筒１０ａ内において空気と燃料の混合気が形成される。
【００４４】
筒内直噴式のディーゼル式の内燃機関の場合、圧縮着火で燃焼が行われる。また、気筒１０ａには、混合気に点火する点火装置として点火プラグが設けられる場合がある。点火プラグの電極に電圧を印加することによって火花を生じさせ、気筒１０ａ内に供給された混合気に点火して燃焼させることもできる。燃焼によってピストンを往復運動させる駆動力が生じ、往復運動が回転運動に変換されてクランク軸から出力される。
【００４５】
排気ポート１４には、気筒１０ａから排出された排気ガスを排気する排気通路３０が設けられる。排気通路３０には、排気ガスのエネルギーにより吸入空気を圧縮するターボ過給機３２が接続される。ターボ過給機３２は、流入する排気ガスのエネルギーによりタービンホイール及びコンプレッサホイールを回転駆動させ、コンプレッサによって空気を圧縮してインタークーラ３４を介して吸気ポート１２に給送する。
【００４６】
また、排気ポート１４には、排気通路３０と並列に排気再循環（ＥＧＲ）通路３６が接続される。排気通路３０及び排気再循環通路３６は、ＥＧＲ切替手段であるＥＧＲ三方弁３８を介して排気ポート１４に接続される。制御装置１０２は、ＥＧＲ切替設定手段１０２ｃとして機能し、ＥＧＲ三方弁３８を切り替えることによって気筒１０ａから排出される排気ガスを一般の排気とＥＧＲとに排他的に振り分けて排出させる。
【００４７】
ＥＧＲシステムは、排気再循環通路３６に設けられたブロワ４０、ＥＧＲクーラー４２及びＥＧＲ弁４４により構成される。排気再循環通路３６に導入された排気ガスは、ブロワ４０によって昇圧されてＥＧＲクーラー４２に送られる。ＥＧＲクーラー４２は、排気ガスを供給ガスの温度にまで低下させて吸気ポート１２へ供給する。ＥＧＲクーラー４２は、冷却器本体と凝縮水捕集部とを有する。すなわち、排気ガスは、ブロワ４０によって昇圧されて輸送され、さらにＥＧＲクーラー４２によって温度が低下させられて吸気ポート１２へ供給される。ＥＧＲ弁４４は、排気再循環通路３６を流れる排気ガスの流量を調整するために用いられる。
【００４８】
ＥＧＲシステムを作動させると、気筒１０ａから排出された排気ガスの一部は吸気ポート１２へ再循環される。これによって、二酸化炭素を含み、酸素が少ない排気ガスが酸素を十分に含んだ空気と混合されて気筒１０ａ内に供給される。したがって、気筒１０ａ内におけるガス充填効率を高めてポンプ損失を低減すると共に、気筒１０ａ内における燃焼温度を低下させて窒素酸化物等の発生を抑制することができる。
【００４９】
なお、ターボ過給機３２を介して排気再循環通路３６に導入された排気ガスの一部を外部へ排気できるようにしてもよい。ＥＧＲ弁４４によって再循環される排気ガスの流量が調整されるので、ターボ過給機３２を介して再循環に利用されない残りの排気ガスを排気できる。
【００５０】
他の気筒１０ｂ〜１０ｆについても、気筒１０ａと同様の構成を有する。なお、各気筒１０（１０ａ〜１０ｆ）への吸気のタイミング、燃料噴射のタイミング及び着火のタイミングは、制御装置１０２により各気筒１０に対してそれぞれ独立して制御可能に構成される。具体的には、各気筒１０における着火のタイミングが時間的に均等となるように制御されることが好適である。例えば、気筒１０ａ〜気筒１０ｆの６気筒の２ストロークの内燃機関１００では、クランク角が６０°毎に着火のタイミングを設定することが好適である。
【００５１】
制御装置１０２は、燃料切替設定手段１０２ａとして機能し、燃料切替手段である三方弁２６を切り替えることによって各気筒１０（１０ａ〜１０ｆ）に主燃料又は副燃料の一方が排他的に供給されるように制御する。ここで、燃料切替設定手段１０２ａは、内燃機関１００の運転状態に応じて各気筒１０に供給される燃料を切り替える。具体的には、燃料切替設定手段１０２ａは、燃焼の悪い気筒１０のみに副燃料を供給し、残りの気筒１０には主燃料を供給するように三方弁２６の状態を設定することが好適である。
【００５２】
例えば、燃料切替設定手段１０２ａは、各気筒１０の排気ポート１４に排気ガスセンサ（図示しない）を設け、排気ガスの性状に応じて各気筒１０に供給される燃料を設定する。この場合、燃料切替設定手段１０２ａは、排気ガス中の窒素酸化物（ＮＯｘ）、一酸化炭素（ＣＯ）、スモーク（排気ガス中の粒子状物質の量）及び全炭化水素（ＴＨＣ）の濃度の少なくとも１つに応じて三方弁２６を切り替えて各気筒１０に主燃料又は副燃料が供給されるように制御する。すなわち、燃料切替設定手段１０２ａは、排気ガス中の窒素酸化物（ＮＯｘ）、一酸化炭素（ＣＯ）、スモーク及び全炭化水素（ＴＨＣ）の測定値の少なくとも一つから各気筒１０内での燃焼状態を推定し、この推定された燃焼状態又は窒素酸化物（ＮＯｘ）、一酸化炭素（ＣＯ）、スモーク及び全炭化水素（ＴＨＣ）の測定値自体に応じて三方弁２６を切り替えて各気筒１０に供給される主燃料又は副燃料を切り替える。
【００５３】
また、燃料切替設定手段１０２ａは、各気筒１０に圧力センサ（図示しない）を設け、気筒内圧力に応じて各気筒１０に供給される燃料を設定してもよい。圧力センサは、シリンダヘッドボルトに作用する力を測定するセンサ、歪みセンサ等によりシリンダヘッドに加わる力を測定する構成とすることができる。また、気筒１０内の圧力を直接検出する構成としてもよい。これらの場合、気筒内圧力が高いほどその気筒１０内での燃焼は良好であると判定することができる。燃料切替設定手段１０２ａは、各気筒１０の気筒内圧力に応じて三方弁２６を切り替えて各気筒１０に供給される主燃料又は副燃料を切り替える。
【００５４】
また、燃料切替設定手段１０２ａは、機関の負荷条件や地理的条件等に応じて各気筒１０に供給される燃料を設定してもよい。機関の負荷条件は、予め設定された内燃機関１００が搭載される船舶等の運航条件によって定められる。例えば、運航条件として、地理的条件により異なる排気ガス規制値（ＮＯｘ規制、ＣＯ規制、スモーク規制、ＳＯｘ規制、ＣＯ２排出量規制）等の設定をすることができる。さらに、環境を重視する設定（環境モード）とするか、燃費を重視する設定（エコモード）とするかの運転モードを選択するようにしてもよい。これらの条件に応じて運航条件が算出され、排気温度目標値、効率の目標値、負荷条件等が算出されるので、燃料切替設定手段１０２ａはその算出結果に応じて三方弁２６を切り替えて各気筒１０に供給される主燃料又は副燃料を切り替える。
【００５５】
また、ＧＰＳ（図示しない）やレーダを搭載し、現在の位置から運航条件を算出してもよい。ＧＰＳまたはレーダにより、陸からの距離、目的地からの方位や距離、航行時の目標物との位置関係を取得することができ、これらに応じた運航条件を算出することができる。例えば、現在位置が港湾内、陸地から近い位置であれば、排気ガス浄化を優先した運転モード（環境モード）とし、外洋であれば、燃費を優先した運転モード（エコモード）とする。そして、燃料切替設定手段１０２ａは、運転モードに応じて三方弁２６を切り替えて各気筒１０に供給される主燃料又は副燃料を切り替える。
【００５６】
また、制御装置１０２は、燃料噴射条件変更手段１０２ｂとして機能し、燃料噴射装置２０における燃料の噴射タイミング及び噴射量を各気筒１０に対してそれぞれ独立して制御する。すなわち、各気筒１０に供給される燃料が主燃料であるか副燃料であるかによって燃料密度や発熱量が異なり、気筒内での燃焼の状態が変化するので、各気筒１０に供給される燃料の種別に応じて燃料の噴射タイミング及び噴射量を調整する。
【００５７】
具体的には、各気筒１０における最高気筒内圧力、熱発生量、排気温度、着火時期等が予め設定された目標値となる噴射条件（噴射量（噴射期間）、噴射圧及びクランク角度に対する主噴射の噴射タイミング）を燃料の種別毎にそれぞれ登録しておき、燃料噴射条件変更手段１０２ｂは、各気筒１０に供給されている燃料が主燃料又は副燃料の種別に応じて登録されている噴射条件を読み出して、その噴射条件となるように制御すればよい。例えば、主燃料が供給されている気筒１０と副燃料が供給されている気筒１０とにおいて最高気筒内圧力、熱発生量、排気温度及び着火時期の少なくとも１つが同程度となるように燃料の噴射条件を変更する。
【００５８】
このように、気筒１０毎に燃料を切り替えて運転を可能とすることによって、各気筒１０における燃焼の状態を改善することができる。
【００５９】
なお、副燃料を導入する気筒１０は、燃焼のタイミング、すなわち燃焼時期が均等にずれるように選択することが好適である。例えば、４ストロークで２気筒に副燃料を導入する場合には着火のタイミングが３６０°ずれている気筒１０を選択する。また、２ストロークで２気筒に副燃料を導入する場合には着火のタイミングが１８０°ずれている気筒１０を選択する。
【００６０】
これにより、主燃料を使用している気筒１０と副燃料を使用している気筒１０との燃焼の違いによる回転の時間的な変動を低減することができ、内燃機関１００を滑らかに駆動させることができる。また、ＥＧＲに利用される副燃料を用いている気筒からの排気ガスが均等にそれぞれの気筒の吸気に供給され、給気中の排気ガスの割合のムラがなくなり、内燃機関を滑らかに駆動させることができる。
【００６１】
また、ＥＧＲ切替設定手段１０２ｃは、副燃料が供給されている気筒１０のうち排気再循環通路３６に排気ガスを導入する気筒１０を設定し、その気筒１０のＥＧＲ三方弁３８を切り替えて排気ガスが排気再循環通路３６へ流れるようにする。ＥＧＲを使用する気筒１０は、副燃料が供給されている気筒１０のすべてとしてもよいし、その一部としてもよい。
【００６２】
具体的には、ＥＧＲ切替設定手段１０２ｃは、予め設定されたＥＧＲ率に応じてＥＧＲを使用する気筒１０の数を設定すればよい。例えば、６気筒の内燃機関１００である場合、ＥＧＲ率が３０％であれば副燃料が供給されている気筒１０のうち２気筒をＥＧＲを理由する気筒１０として設定し、ＥＧＲ率が１５％であれば副燃料が供給されている気筒１０のうち１気筒をＥＧＲを利用する気筒１０として設定する。
【００６３】
また、制御装置１０２は、ＥＧＲ率に応じてＥＧＲ弁４４における排気ガスの流量を制御するようにしてもよい。例えば、ＥＧＲ率に応じてＥＧＲ弁４４を開にするタイミング、期間及び開口率を調整すればよい。
【００６４】
このように、硫黄成分の少ない良い燃料である副燃料を用いている気筒１０からの排気ガスのみをＥＧＲに利用することによって、硫黄成分による内燃機関１００の腐食を抑制しつつ、各気筒１０における燃焼を改善することができ、窒素酸化物（ＮＯｘ）を低減することができる。一方、燃焼の改善が必要でない気筒１０については低価格の主燃料を用いることによって経済的に有利になる。また、デュアルフューエルエンジンでは、副燃料であるガスを使用している気筒１０の排気ガスをＥＧＲ用の排ガスに適用し、気筒１０に再循環することによってメタンを燃焼させ、メタンスリップを低減することができる。
【００６５】
また、ＥＧＲに利用する気筒１０のみ副燃料を導入するようにすることが好適である。この場合、副燃料が供給されている気筒１０のすべての排ガスをＥＧＲ用の排ガスとして適用することになる。ＥＧＲ率が低い場合には、良質で高価な副燃料を用いる気筒１０の数を少なくすることができ、低価格な主燃料の使用割合を増やすことによって経済的な運転が可能となる。
【００６６】
ＥＧＲ切替設定手段１０２ｃは、排気通路３０から排気再循環通路３６の切り替え設定を行う際に、気筒１０のうち着火のタイミング（燃焼時期）が均等にずれている気筒１０を副燃料を供給する気筒として設定することが好適である。これにより、主燃料を使用している気筒１０と副燃料を使用している気筒１０との燃焼の違いによる回転の時間的な変動を低減することができ、内燃機関１００を滑らかに駆動させることができる。また、ＥＧＲに利用される副燃料を用いている気筒からの排気ガスが均等にそれぞれの気筒の吸気に供給され、給気中の排気ガスの割合のムラがなくなり、内燃機関を滑らかに駆動させることができる。
【００６７】
また、ＥＧＲ切替設定手段１０２ｃにおいて排気通路３０から排気再循環通路３６への切り替えが設定されたとき、燃料切替設定手段１０２ａによって該当する気筒１０の三方弁２６が主燃料系から副燃料系に切り替えられた後、当該気筒１０のＥＧＲ三方弁３８を排気通路３０から排気再循環通路３６へ切り替えることが好適である。
【００６８】
これにより、硫黄成分の少ない良質の副燃料に切り替えられた気筒１０からの排気ガスのみを排気再循環通路３６へ導入することができ、切り替え時における排気再循環通路３６やＥＧＲクーラー４２、また気筒１０の燃焼室が硫黄成分やススの多い排気ガスによって汚染されることを防ぐことができる。
【００６９】
また、ＥＧＲ切替設定手段１０２ｃにおいて排気再循環通路３６から排気通路３０への切り替えが設定されたときに、ＥＧＲ三方弁３８を排気再循環通路３６から排気通路３０へ切り替えた後、三方弁２６を副燃料系から主燃料系への切り替えることが好適である。
【００７０】
これにより、ＥＧＲから通常の排気に切り替えられた後、硫黄成分の少ない良質の副燃料から主燃料に切り替えられるので、切り替え時における排気再循環通路３６やＥＧＲクーラー４２や気筒１０の燃焼室が硫黄成分やススの多い排気ガスによって汚染されることを防ぐことができる。
【００７１】
本実施の形態では、すべての気筒１０（１０ａ〜１０ｆ）に燃料切替手段とＥＧＲ切替手段を設けた構成としたが、これに限定されるものではない。図２に示すように、一部の気筒１０のみに燃料切替手段とＥＧＲ切替手段を設けた内燃機関２００としてもよい。内燃機関２００は、気筒１０ｃ及び気筒１０ｄのみに燃料切替手段とＥＧＲ切替手段を設けた例を示している。
【００７２】
この場合、燃料切替手段とＥＧＲ切替手段を設けた気筒１０（１０ｃ，１０ｄ）の範囲において、燃焼状態等に応じて主燃料と副燃料の切り替え及び一般的な排気とＥＧＲの切り替えを行うことができる。
【００７３】
＜第２の実施の形態＞
図３に示すように、排気再循環通路３６に選択触媒還元脱硝装置（ＳＣＲ）５０を設けた内燃機関３００としてもよい。ＳＣＲは、排気ガスにアンモニアや尿素等の還元剤を添加した後、触媒に導入することにより窒素酸化物（ＮＯｘ）を窒素分子（Ｎ２）、水（Ｈ２Ｏ）に転換する装置である。
【００７４】
選択触媒還元脱硝装置５０は、図３に示すように、排気再循環通路３６上においてブロワ４０の前に配置してもよいし、図４に示すように、個々の気筒１０の排気再循環通路３６上に配置してもよい。また、図５に示すように、ブロワ４０、ＥＧＲクーラー４２及びＥＧＲ弁４４を通らず、外部に排気される排気ガスを処理するように選択触媒還元脱硝装置５０を設けてもよい。
【００７５】
このように、副燃料を使用する気筒１０からの排気ガスのみを選択触媒還元脱硝装置５０に導入するように構成することで、ＳＣＲの触媒の劣化を抑制すると共に、排気ガス中の窒素酸化物（ＮＯｘ）を低減することができる。
【００７６】
＜第３の実施の形態＞
上記実施の形態では、排気再循環通路３６に導入された排気ガスの一部を一般の排気と共通のターボ過給機３２に導入する構成としたが、ターボ過給機３２に導入せずに大気に放出してもよい。また、図６に示すように、排気再循環通路３６に専用のＥＧＲターボ過給機５２を設けた内燃機関４００としてもよい。
【００７７】
これにより、吸気側に再循環される排気ガスのエネルギーをすべて利用することができる。また、再循環される排気ガスは加圧されて吸気ポート１２へ送られるのでブロワ４０を小型化又は不要とすることができる。
【００７８】
なお、ＥＧＲターボ過給機５２のコンプレッサホイールの前にクーラー５４を設けることが好適である。再循環される排気ガスは比較的高温であるので、クーラー５４によって予め低温下しておくことによって、ＥＧＲターボ過給機５２による加圧で排気ガスがさらに高温となることを防ぐことができる。
【００７９】
なお、図７に示すように、ＥＧＲターボ過給機５２に発電機５６を併設してもよい。発電機５６によって排気再循環通路３６に導入された排気ガスのエネルギーを回収することができる。また、発電機５６の負荷を調整することによって、ＥＧＲ率を調整することも可能となる。
【産業上の利用可能性】
【００８０】
本発明に係る内燃機関の制御装置の適用範囲は、ディーゼル機関に限定されるものではなく、内部着火式、外部着火式の複数の気筒を備えた内燃機関であればよい。
【符号の説明】
【００８１】
１０（１０ａ−１０ｆ）  気筒、２０  燃料噴射装置、２２  主燃料供給ライン、２２ａ  主燃料タンク、２２ｂ  主燃料ポンプ、２４  副燃料供給ライン、２４ａ  副燃料タンク、２４ｂ  副燃料ポンプ、２６  三方弁、３０  排気通路、３２  ターボ過給機、３６  排気再循環通路、３８  ＥＧＲ三方弁、４０  ブロワ、４２  ＥＧＲクーラー、４４  ＥＧＲ弁、５０  選択触媒還元脱硝装置、５２  ＥＧＲターボ過給機、５４  クーラー、５６  発電機、１００，２００，３００，４００  内燃機関、１０２  制御装置、１０２ａ  燃料切替設定手段、１０２ｂ  燃料噴射条件変更手段、１０２ｃ  ＥＧＲ切替設定手段。
【図１】
2019094906.tif 000003
【図２】
2019094906.tif 000004
【図３】
2019094906.tif 000005
【図４】
2019094906.tif 000006
【図５】
2019094906.tif 000007
【図６】
2019094906.tif 000008
【図７】
2019094906.tif 000009